(57)【要約】【課題】  料金所区間における前車追従走行や経路追従走行への移行または操作引継時における過度の操作介入による他車両との接近や挙動不安定を防止する。【解決手段】  自車線と隣接車線および前記各車線上の他車を認識する周囲認識機能と自車運動状態を取得する機能を含む環境状態推定部と、前記環境状態推定部に取得される情報に基づいて目標経路を生成する経路生成部と、前記目標経路に自車を追従させるべく速度制御および操舵制御を行う車両制御部と、を備えた車両の走行制御装置であって、前記環境状態推定部は、料金所近傍における自車位置を取得する手段を含み、前車を目標にして走行する前車追従機能を有するものにおいて、自車位置が料金所手前の車線区分線のない区間近傍の所定地点に到達した時に、前記前車追従機能および経路追従機能を停止させる操作介入の判定基準となるオーバーライド閾値を、車線区分線のある一般区間走行時よりも大きい値に変更する機能を有する。【選択図】  図５
2020157985.tif 000002
【特許請求の範囲】
【請求項１】
自車線と隣接車線および前記各車線上の他車を認識する周囲認識機能と自車運動状態を取得する機能を含む環境状態推定部と、
前記環境状態推定部に取得される情報に基づいて目標経路を生成する経路生成部と、
前記目標経路に自車を追従させるべく速度制御および操舵制御を行う車両制御部と、
を備えた車両の走行制御装置であって、
前記環境状態推定部は、料金所近傍における自車位置を取得する手段を含み、
前車を目標にして走行する前車追従機能を有するものにおいて、
自車位置が料金所手前の車線区分線のない区間近傍の所定地点に到達した時に、前記前車追従機能および経路追従機能を停止させる操作介入の判定基準となるオーバーライド閾値を、車線区分線のある一般区間走行時よりも大きい値に変更する機能を有することを特徴とする車両の走行制御装置。
【請求項２】
前記大きい値に変更されたオーバーライド閾値は、料金所手前の車線区分線のない区間から、料金所ゲート前後の車線区分線のある区間を除きまたは含め、料金所通過後の車線区分線のない区間を経て車線区分線のある一般区間に到達するまで維持されることを特徴とする請求項１記載の車両の走行制御装置。
【請求項３】
前記料金所通過後の車線区分線のない区間で、前記前車追従機能による走行中、または、前方の車線区分線のある一般区間の走行車線を目標にした経路追従走行中に、前記周囲認識機能により自車の所定領域内に他車の進入を検知した場合は、前車追従機能または経路追従機能の停止と操作引継を運転者に通知し、前記各機能の縮退制御を行うように構成されていることを特徴とする請求項２記載の車両の走行制御装置。
【請求項４】
自車位置が車線区分線のある一般区間にあり、隣接車線の所定範囲に他車がいない場合に隣接車線に自動車線変更を行う機能と、
前記自動車線変更を行う機能による車線変更中に、前記周囲認識機能により自車の所定領域内に他車の進入を検知した場合に、車線変更を中止して元車線に復帰する機能と、
をさらに有し、
前記周囲認識機能により自車の所定領域内に他車の進入を検知した時に、自車位置が料金所手前の車線区分線のない区間である場合は、前記前車追従機能による走行、または、料金所ゲートを目標にした経路追従走行に移行するように構成されていることを特徴とする請求項１〜３の何れか一項記載の車両の走行制御装置。
【請求項５】
前記料金所近傍における自車位置を取得する手段は、測位手段による自車位置情報と地図情報とのマッチング、または、料金所案内表示、距離標などの表示物に対する画像認識を含むことを特徴とする請求項１〜４の何れか一項記載の車両の走行制御装置。
【請求項６】
自車線に先行他車がいない場合は目標車速に従って定速走行を行い、先行他車がいる場合は所定車間距離を維持して追従走行を行うＡＣＣ機能、および、前記目標経路への追従制御により自車線内の走行を維持するＬＫＡ機能をさらに有し、
前記オーバーライド閾値は、前記ＡＣＣ機能、および／または、前記ＬＫＡ機能を停止させる操作介入の判定基準となるオーバーライド閾値を兼ねることを特徴とする請求項１〜５の何れか一項記載の車両の走行制御装置。
【請求項７】
前記オーバーライド閾値は、ブレーキ操作介入の判定基準となるブレーキオーバーライド閾値、および／または、操舵操作介入の判定基準となる操舵オーバーライド閾値を含むことを特徴とする請求項１〜６の何れか一項記載の車両の走行制御装置。
【請求項８】
自車線と隣接車線および前記各車線上の他車を認識する周囲認識機能と自車運動状態を取得する機能を含む環境状態推定部と、
前記環境状態推定部に取得される情報に基づいて目標経路を生成する経路生成部と、
前記目標経路に自車を追従させるべく速度制御および操舵制御を行う車両制御部と、
を備えた車両の走行制御装置であって、
前車を目標にして走行する前車追従機能を有するものにおいて、
自車位置が料金所ゲートまたはその前後の車線区分線のある区間の通過時に、前記前車追従機能および経路追従機能を停止させる操作介入の判定基準となるオーバーライド閾値を、車線区分線のある一般区間走行時よりも大きい値に変更する機能を有することを特徴とする車両の走行制御装置。
【請求項９】
前記大きい値に変更されたオーバーライド閾値は、料金所通過後の車線区分線のない区間を経て車線区分線のある一般区間に到達するまで維持されることを特徴とする請求項８記載の車両の走行制御装置。
【請求項１０】
前記料金所通過後の車線区分線のない区間で、前記前車追従機能による走行中、または、前方の車線区分線のある一般区間の走行車線を目標にした経路追従走行中に、前記周囲認識機能により自車の所定領域内に他車の進入を検知した場合は、前車追従機能または経路追従機能の停止と操作引継を運転者に通知し、前記各機能の縮退制御を行うように構成されていることを特徴とする請求項９記載の車両の走行制御装置。
【請求項１１】
自車線と隣接車線および前記各車線上の他車を認識する周囲認識機能と自車運動状態を取得する機能を含む環境状態推定部と、
前記環境状態推定部に取得される情報に基づいて目標経路を生成する経路生成部と、
前記目標経路に自車を追従させるべく速度制御および操舵制御を行う車両制御部と、
を備えた車両の走行制御装置であって、
前車を目標にして走行する前車追従機能と、
料金所通過後の車線区分線のない区間を走行中に前記周囲認識機能により自車の所定領域内に他車の進入を検知した場合に、前車追従機能または経路追従機能の停止と操作引継を運転者に通知し、前記各機能の縮退制御を行う機能と、
を有するものにおいて、
前記機能停止と操作引継の運転者への通知時に、前記各機能を停止させる前記操作介入の判定基準となるオーバーライド閾値を、車線区分線のある一般区間走行時よりも大きい値に変更する機能を有することを特徴とする車両の走行制御装置。
【請求項１２】
前記大きい値に変更されたオーバーライド閾値は、料金所通過後の車線区分線のない区間を経て車線区分線のある一般区間に到達するまで維持されることを特徴とする請求項１１記載の車両の走行制御装置。
【発明の詳細な説明】
【技術分野】
【０００１】
本発明は、車両の走行制御装置に関し、さらに詳しくは、部分的自動車線変更システムにおけるオーバーライド機能に関する。
【背景技術】
【０００２】
運転者の負担軽減、安全運転支援を目的とした種々の技術、例えば、車間距離制御システム（Adaptive Cruise Control System：ＡＣＣＳ）、車線維持支援システム（Lane Keeping Assistance System：ＬＫＡＳ）などが実用化されている。さらに、これらをベースにした「車線内部分的自動走行システム（Partially Automated in-lane Driving System：ＰＡＤＳ）」や「部分的自動車線変更システム（Partially Automated Lane Change System：ＰＡＬＳ）」の実用化や国際規格化が進められている。
【０００３】
このような走行制御システムは、あくまでも運転支援を目的としたものであり、完全な自動運転とは異なる。運転者はハンドルに手を添えて何時でも手動運転できるように、運転状況を把握することが求められ、状況に応じて運転者の対応が必要であり、システム作動中であっても、運転者の操作介入によって手動運転に切替わるオーバーライド機能を備えている。特許文献１には、運転者により入力される操舵操作量の変化速度に応じて手動運転に移行する縮退制御量の変化速度（縮退速度）を決定するようにした車両の横方向運動制御装置が開示されている。
【先行技術文献】
【特許文献】
【０００４】
【特許文献１】特開２０１２−９６５６９号公報
【発明の概要】
【発明が解決しようとする課題】
【０００５】
特許文献１では、操舵操作量の変化速度が大きい場合は、運転者が意図した操舵介入と見做して短時間で手動運転に移行し、操舵操作量の変化速度が小さい場合は比較的時間をかけて縮退制御され手動運転に移行する。しかしながら、操舵操作量の変化速度が大きい場合が、必ずしも運転者が意図した操舵介入であるとは限らないし、操舵操作量の変化速度に応じた縮退制御が車両の運動状態に適した制御であるとも限らない。
【０００６】
例えば、ＰＡＬＳによる自動車線変更中に、割込みなどにより他車両が目標車線の所定領域に進入した場合、自動車線変更中止が通知され、元車線の所定領域内に他車両がない場合には自動車線復帰機能により元車線に復帰するが、他車両がいる場合は運転者への権限委譲が通知される。また、料金所手前の車線区分線がない区間では、前車追従走行または料金所ゲートを目標にした経路追従走行に移行する。
【０００７】
ところが、自動車線変更中止や権限委譲・操作引継要求が運転者に通知された際に、通知に慌てた運転者の過剰な操舵介入によるオーバーライドや、過度のブレーキ操作によるオーバーライドで他車両との接近や車両の挙動が不安定になることも想定される。
【０００８】
また、料金所通過後の合流区間では前車追従走行または前方の走行車線を目標にした経路追従走行に移行するが、他車両の割込みなどで前車追従走行や経路追従走行を継続不可能となり、権限委譲・操作引継要求が運転者に通知された際に、通知に慌てた運転者の過剰な操舵介入やブレーキ操作介入によるオーバーライドで他車両との接近や車両の挙動が不安定になることも想定される。
【０００９】
本発明は、上記のような実状に鑑みてなされたものであり、その目的は、料金所区間における前車追従走行や経路追従走行への移行または操作引継時における過度の操作介入による他車両との接近や挙動不安定を防止することにある。
【課題を解決するための手段】
【００１０】
上記課題を解決するために、本発明は、
自車線と隣接車線および前記各車線上の他車を認識する周囲認識機能と自車運動状態を取得する機能を含む環境状態推定部と、
前記環境状態推定部に取得される情報に基づいて目標経路を生成する経路生成部と、
前記目標経路に自車を追従させるべく速度制御および操舵制御を行う車両制御部と、
を備えた車両の走行制御装置であって、
前記環境状態推定部は、料金所近傍における自車位置を取得する手段を含み、
前車を目標にして走行する前車追従機能を有するものにおいて、
自車位置が料金所手前の車線区分線のない区間近傍の所定地点に到達した時に、前記前車追従機能および経路追従機能を停止させる操作介入の判定基準となるオーバーライド閾値を、車線区分線のある一般区間走行時よりも大きい値に変更する機能を有することを特徴とする。
【発明の効果】
【００１１】
本発明に係る車両の走行制御装置によれば、自車位置が料金所手前の車線区分線のない区間近傍の所定地点に到達した時に、前車追従機能および経路追従機能を停止させる操作介入の判定基準となるオーバーライド閾値が、車線区分線のある一般区間走行時よりも大きい値に変更されるので、料金所区間における前車追従走行や経路追従走行への移行または操作引継時における過度の操作介入による他車両との接近や挙動不安定を防止するうえで有利である。
【図面の簡単な説明】
【００１２】
【図１】車両の走行制御システムを示す概略図である。
【図２】車両の外界センサ群を示す概略的な平面図である。
【図３】車両の走行制御システムを示すブロック図である。
【図４】料金所区間における走行モードとオーバーライド閾値の関係を示すタイミングチャートである。
【図５】料金所区間における走行モードとオーバーライド閾値の制御を示すフローチャートである。
【図６】料金所近傍での自動車線変更／走行制御を示すフローチャートである。
【図７】料金所通過後の過度の操作介入によるオーバーライド防止制御を示すフローチャートである。
【図８】（ａ）料金所手前での自動車線変更中止時の自動車線復帰、（ｂ）自動車線復帰中止、（ｃ）前車追従走行への移行時のオーバーライド防止制御を例示する概略平面図である。
【図９】（ａ）料金所通過後の前車追従走行、（ｂ）前車追従走行の中断、（ｃ）前車追従走行中断時のオーバーライド防止制御を例示する概略平面図である。
【発明を実施するための形態】
【００１３】
以下、本発明の実施形態について、図面を参照しながら詳細に説明する。
図１において、本発明に係る走行制御システムを備えた車両１は、エンジンや車体など一般的な自動車の構成要素に加え、従来運転者が行っていた認知・判断・操作を車両側で行うために、車両周囲環境を検知する外界センサ２１、車両情報を検知する内界センサ２２、速度制御および操舵制御のためのコントローラ／アクチュエータ群、車間距離制御のためのＡＣＣコントローラ１４、車線維持支援制御のためのＬＫＡコントローラ１５、および、それらを統括して経路追従制御を行い、車線内部分的自動走行（ＰＡＤＳ）や自動車線変更（ＰＡＬＳ）を実施するための自動運転コントローラ１０を備えている。
【００１４】
速度制御および操舵制御のためのコントローラ／アクチュエータ群は、操舵制御のためのＥＰＳ（電動パワーステアリング）コントローラ３１、加減速度制御のためのエンジンコントローラ３２、ＥＳＰ／ＡＢＳコントローラ３３を含む。ＥＳＰ（登録商標；エレクトロニックスタビリティプログラム）はＡＢＳ（アンチロックブレーキシステム）を包括してスタビリティコントロールシステム（車両挙動安定化制御システム）を構成する。
【００１５】
外界センサ２１は、自車線および隣接車線を画定する道路上の区分線、自車周辺にある他車両や障害物、人物などの存在と相対距離を画像データや点群データとして自動運転コントローラ１０に入力するための複数の検知手段からなる。
【００１６】
例えば、図２に示すように、車両１は、前方検知手段２１１，２１２としてミリ波レーダ（２１１）およびカメラ（２１２）、前側方検知手段２１３および後側方検知手段２１４としてＬＩＤＡＲ（レーザ画像検出／測距）、後方検知手段２１５としてカメラ（バックカメラ）を備え、自車両周囲３６０度をカバーし、それぞれ自車前後左右方向所定距離内の車両や障害物等の位置と距離、区分線位置を検知できるようにしている。
【００１７】
内界センサ２２は、車速センサ、ヨーレートセンサ、加速度センサなど、車両の運動状態を表す物理量を計測する複数の検知手段からなり、図３に示すように、それぞれの測定値は、自動運転コントローラ１０、ＡＣＣコントローラ１４、ＬＫＡコントローラ１５、および、ＥＰＳコントローラ３１に入力される。
【００１８】
自動運転コントローラ１０は、環境状態推定部１１、経路生成部１２、および、車両制御部１３を含み、以下に記載されるような機能を実施するためのコンピュータ、すなわち、プログラム及びデータを記憶したＲＯＭ、演算処理を行うＣＰＵ、前記プログラム及びデータを読出し、動的データや演算処理結果を記憶するＲＡＭ、および、入出力インターフェースなどで構成されている。
【００１９】
環境状態推定部１１は、ＧＰＳ等の測位手段２４による自車位置情報と地図情報２３とのマッチングにより自車の絶対位置を取得し、外界センサ２１に取得される画像データや点群データなどの外界データに基づいて自車線および隣接車線の区分線位置、他車位置および速度を推定する。また、内界センサ２２に計測される内界データより自車の運動状態を取得する。
【００２０】
経路生成部１２は、環境状態推定部１１で推定された自車位置から到達目標までの目標経路を生成する。また、地図情報２３を参照し、環境状態推定部１１で推定された隣接車線の区分線位置、他車位置および速度、自車の運動状態に基づいて、車線変更における自車位置から到達目標地点までの目標経路を生成する。
【００２１】
車両制御部１３は、経路生成部１２で生成された目標経路に基づいて目標車速および目標舵角を算出し、定速走行または車間距離維持・追従走行のための速度指令をＡＣＣコントローラ１４に送信し、経路追従のための操舵角指令をＬＫＡコントローラ１５経由でＥＰＳコントローラ３１に送信する。
【００２２】
なお、車速は、ＥＰＳコントローラ３１およびＡＣＣコントローラ１４にも入力される。車速により操舵トルクが変わるため、ＥＰＳコントローラ３１は、車速毎の操舵角−操舵トルクマップを参照して操舵機構４１にトルク指令を送信する。エンジンコントローラ３２、ＥＳＰ／ＡＢＳコントローラ３３、ＥＰＳコントローラ３１により、エンジン４２、ブレーキ４３、操舵機構４１を制御することで、車両１の縦方向および横方向の運動が制御される。
【００２３】
（車線内部分的自動走行システムおよび部分的自動車線変更システムの概要）
次に、高速道路での走行を想定して、車線内部分的自動走行システム（ＰＡＤＳ）および部分的自動車線変更システム（ＰＡＬＳ）の概要を説明する。
【００２４】
車線内部分的自動走行（ＰＡＤＳ走行）および部分的自動車線変更（ＰＡＬＳ）は、自動運転コントローラ１０とともにＡＣＣＳを構成するＡＣＣコントローラ１４およびＬＫＡＳを構成するＬＫＡコントローラ１５が共に作動している状態で実行可能となる。
【００２５】
車線内部分的自動走行システム作動と同時に、自動運転コントローラ１０（経路生成部１２）は、外界センサ２１を通じて環境状態推定部１１に取得される外界情報（車線、自車位置、自車走行車線および隣接車線を走行中の他車位置、速度）、および、内界センサ２２に取得される内界情報（車速、ヨーレート、加速度）に基づいて、単一車線内目標経路および目標車速を生成する。
【００２６】
自動運転コントローラ１０（車両制御部１３）は、自車位置と自車の運動特性、すなわち、車速Ｖで走行中に操舵機構４１に操舵トルクＴが与えられた時に生じる前輪舵角δによって、車両運動により生じるヨーレートγと横加速度（ｄ２ｙ／ｄｔ２）の関係から、Δｔ秒後の車両の速度・姿勢・横変位を推定し、Δｔ秒後に横変位がｙｔとなるような操舵角指令をＬＫＡコントローラ１５経由でＥＰＳコントローラ３１に与え、Δｔ秒後に速度Ｖｔとなるような速度指令をＡＣＣコントローラ１４に与える。
【００２７】
ＡＣＣコントローラ１４、ＬＫＡコントローラ１５、ＥＰＳコントローラ３１、エンジンコントローラ３２、および、ＥＳＰ／ＡＢＳコントローラ３３は、自動操舵とは無関係に独立して作動するが、車線内部分的自動走行機能（ＰＡＤＳ）および部分的自動車線変更システム（ＰＡＬＳ）の作動中は、自動運転コントローラ１０からの指令入力でも作動可能になっている。
【００２８】
ＡＣＣコントローラ１４からの減速指令を受けたＥＳＰ／ＡＢＳコントローラ３３は、アクチュエータに油圧指令を出し、ブレーキ４３の制動力を制御することで車速を制御する。また、ＡＣＣコントローラ１４からの加減速指令を受けたエンジンコントローラ３２は、アクチュエータ出力（スロットル開度）を制御することで、エンジン４２にトルク指令を与え、駆動力を制御することで車速を制御する。
【００２９】
ＡＣＣ機能（ＡＣＣＳ）は、外界センサ２１を構成する前方検知手段２１１としてのミリ波レーダ、ＡＣＣコントローラ１４、エンジンコントローラ３２、ＥＳＰ／ＡＢＳコントローラ３３等のハードウエアとソフトウエアの組合せで機能する。
【００３０】
すなわち、先行車がいない場合は、クルーズコントロールセット速度を目標車速として定速走行し、先行車に追いついた場合（先行車速度がクルーズコントロールセット速度以下の場合）には、先行車速度に合わせて、設定されたタイムギャップ（車間時間＝車間距離／自車速）に応じた車間距離を維持しながら先行車に追従走行する。
【００３１】
ＬＫＡ機能（ＬＫＡＳ）は、外界センサ２１（カメラ２１２，２１５）に取得される画像データに基づき、自動運転コントローラ１０の環境状態推定部１１で車線区分線と自車位置を検知し、車線中央を走行できるように、ＬＫＡコントローラ１５およびＥＰＳコントローラ３１により操舵制御を行う。
【００３２】
すなわち、ＬＫＡコントローラ１５からの操舵角指令を受けたＥＰＳコントローラ３１は、車速−操舵角−操舵トルクのマップを参照して、アクチュエータ（ＥＰＳモータ）にトルク指令を出し、操舵機構４１が目標とする前輪舵角を与える。
【００３３】
車線内部分的自動走行機能（ＰＡＤＳ）は、以上述べたようなＡＣＣコントローラ１４による縦方向制御（速度制御、車間距離制御）とＬＫＡコントローラ１５による横方向制御（操舵制御、車線維持走行制御）を組み合わせることにより実施される。
【００３４】
部分的自動車線変更システム（ＰＡＬＳ）は、運転者の指示または承認によって、システムが自動的に車線変更（レーンチェンジ）を行うものであり、部分的自動走行（ＰＡＤＳ走行）と同様に、ＡＣＣコントローラ１４による縦方向制御（速度制御、車間距離制御）とＬＫＡコントローラ１５による横方向制御（自動操舵による目標経路追従制御）を組み合わせることにより実施される。
【００３５】
部分的自動車線変更システム作動と同時に、自動運転コントローラ１０（経路生成部１２）は、外界センサ２１を通じて環境状態推定部１１に取得される外界情報（自車線および隣接車線の車線区分線、自車線および隣接車線を走行中の他車位置、速度）、および、内界センサ２２に取得される内界情報（車速、ヨーレート、加速度）に基づいて、現在走行中の車線から隣接車線に車線変更するための目標経路を常時生成している。
【００３６】
この自動車線変更目標経路は、現在走行中の車線から車線変更して隣接車線中央を走行する状態に至る経路であり、隣接車線を走行する他車両については、それぞれの未来位置および速度の予測がなされ、自車速度に応じて設定される隣接車線の前方領域、後方領域、および、側方領域内に、他車両が存在しないと判断された状況下で、（ｉ）運転者がウインカ操作などにより車線変更を指示した場合、または、（ｉｉ）システム判断（ＨＭＩ表示）を運転者が承認（ＬＫＡオフ操作など）した場合に、車線維持（ＬＫＡ）機能を停止して自動操舵による隣接車線への自動車線変更を実行する。
【００３７】
自動車線変更の実行中においても、自動運転コントローラ１０（環境状態推定部１１）は、外界センサ２１を通じて取得される外界情報により、目標経路を含む隣接車線の前方領域，後方領域，側方領域を監視しており、これらの領域への他車両の侵入や割込みが検出された場合、車線変更中の自車位置に基づき、車線変更中止判定を行う。
【００３８】
車線変更を中止する場合には、車線変更前に走行していた車線（元車線）の中心線に追従目標を変更し、目標経路および目標車速を再生成する。そして、再生成した目標経路に追従すべく、操舵角指令をＬＫＡコントローラ１５からＥＰＳコントローラ３１に与え、速度指令をＡＣＣコントローラ１４に与え、元車線に復帰する（自動車線復帰機能）。
【００３９】
自車両が殆ど隣接車線に移動しているような場合、例えば４つの車輪のうち、３つ以上が隣接車線に入っている場合には、車線変更は中止せず、車線変更を継続する。一方、車線変更の継続が困難と判断された場合には、自動車線変更を中止して運転者に権限委譲する。なお、運転車が引継できない場合は、ミニマルリスクマニューバ（ＭＲＭ）が作動し路側帯などに安全停止する。
【００４０】
（無車線区間における経路追従走行および前車追従走行）
ＰＡＤＳ走行および自動車線変更（ＰＡＬＳ）は、自車線および隣接車線の区分線に基づいて目標経路を生成し、経路追従制御による自動操舵を行うものであるため、図４に示す高速道路の料金所手前の無車線区間６０および料金所通過後の無車線区間６２では実施できない。そこで、このような車線区分線のない無車線区間６０，６２では、経路追従走行または前車追従走行を行う。
【００４１】
料金所手前の無車線区間６０では、先ず、自車前方に位置した料金所ゲート（６ｅ、６ｍ）を検出し、その中から通過すべき目標ゲートを選定して目標進入経路を生成し、経路追従走行を行う。目標ゲート（６ｅ、６ｍ）に向かう経路追従走行中に先行車（前車）を認識した場合は、先行車を目標にした前車追従走行に移行する。
【００４２】
料金所通過後の無車線区間６２では、先ず、自車前方の走行車線位置を検出し、その中から目標とすべき車線を選定して目標経路を生成し、経路追従走行を行う。目標車線に向かう経路追従走行中に先行車（前車）を認識した場合は、先行車を目標にした前車追従走行に移行する。
【００４３】
上記のような無車線区間６０，６２における目標ゲートまたは目標車線に向かう経路追従走行中においても、目標進入経路を含む前方領域，後方領域，側方領域を外界センサ２１により監視しており、他車の進路変更などにより、これらの領域に他車両が進入した場合には、運転者に権限移譲通知がなされ、縮退制御を経て手動運転に移行する。この点については後述する。
【００４４】
（オーバーライド機能）
車線内部分的自動走行システム（ＰＡＤＳ）の作動中や、部分的自動車線変更システム（ＰＡＬＳ）による自動車線変更中、さらには、無車線区間における経路追従走行中や前車追従走行中において、縦方向制御システム（ＡＣＣＳ）、横方向制御システム（ＬＫＡＳ）の何れも運転者によるオーバーライドが可能になっている。
【００４５】
縦方向制御システム（ＡＣＣＳ）は、運転者のアクセルペダル操作によるエンジントルク要求、または、ブレーキペダル操作による減速度要求が、それぞれのオーバーライド閾値以上の場合にオーバーライドされる。これらのオーバーライド閾値は、運転者が意図をもって加減速操作を行ったと判断されるアクセル操作量（エンジントルク指令値）またはブレーキ操作量（ＥＳＰ油圧指令値）に設定され、かつ、何れも車両の加減速特性および走行状態に応じて設定される。
【００４６】
すなわち、ＡＣＣオーバーライドは、制御車速に対して運転者が加速または減速の意図をもってアクセルペダル操作またはブレーキペダル操作を行ったと判断される操作量または操作速度がアクセルペダルまたはブレーキペダルに与えられた場合に、ＡＣＣ制御を中止し、運転者のアクセルおよびブレーキ操作による走行に移行するものである。
【００４７】
車線維持支援や自動車線変更、無車線区間における経路追従走行や前車追従走行のための自動操舵を行う横方向制御システム（ＬＫＡＳ）は、運転者の手動操舵３４による操舵トルクがオーバーライド閾値以上の場合にオーバーライドされる。この操舵介入によるオーバーライド閾値は、車両の操舵特性、走行状態に応じて設定される。
【００４８】
すなわち、操舵オーバーライドは、制御操舵トルクに対して運転者が順操舵または逆操舵の意図をもって操舵したと判断される操作量または操作速度がステアリングシステムに与えられた場合に、自動操舵およびＬＫＡ制御を中止し、運転者の手動操舵による走行に移行するものである。
【００４９】
ところで、自動車線変更（ＰＡＬＳ）は、図４に示す高速道路の料金所６の無車線区間６０、６２では実施できず、これらの区間では、経路追従走行または前車追従走行を行うことは既に述べたが、例えば、料金所６の手前の本線区間５において開始された自動車線変更中に、自車周囲の所定領域内への他車進入により自動車線復帰機能が作動した場合や、車線変更継続不可能となった場合に、車両挙動や権限委譲通知に慌てた運転者の過度の操舵オーバーライドや、過度のブレーキオーバーライドにより他車両との接近や挙動不安定を生じる虞がある。
【００５０】
また、料金所６を通過後の無車線区間６２では前車追従走行または前方の走行車線を目標にした経路追従走行を行うが、他車両の割込みなどで前車追従走行や経路追従走行を継続不可能となった場合に、権限委譲通知に慌てた運転者の過度の操舵オーバーライドや、過度のブレーキオーバーライドにより他車両との接近や挙動不安定を生じる虞があることは既に述べた通りである。
【００５１】
（料金所近傍の無車線区間における過操作防止機能）
そこで、本発明に係る自動運転コントローラ１０は、ＧＰＳ等の測位手段２４による自車位置情報と地図情報２３とのマッチング、または、外界センサ２１に検知される料金所案内表示や距離標などの表示物に対する画像認識により、料金所６に対する自車位置を検出し、自車置が料金所６近傍の所定地点Ｓに到達した時に、前車追従機能および経路追従機能を停止させる操作介入の判定基準となるオーバーライド閾値を、車線区分線５ｓのある本線区間５などの一般区間走行時よりも大きい値に変更する過操作防止機能を備えている。
【００５２】
図５は、高速道路の料金所近傍無車線区間における走行制御および過操作防止フローを示しており、図示のように、高速道路本線区間５などの一般区間においてＰＡＤＳ走行（ＰＡＬＳ可能）する場合（ステップ００１）には、一般区間用のオーバーライド閾値（Ｐｄ，Ｔ１ｄ，Ｔ２ｄ）が設定され（ステップ００２）、それに基づいてオーバーライド判定が行われる。
【００５３】
ＰＡＤＳ走行（ＰＡＬＳ走行）中は、料金所６に対する自車位置を常に検出しており（ステップ００３）、自車が料金所６近傍の所定地点Ｓに到達したことが検出された場合に、オーバーライド閾値が、料金所近傍区間用のオーバーライド閾値（Ｐｏ，Ｔ１ｏ，Ｔ２ｏ）に変更される（ステップ００４）。所定地点Ｓは、料金所手前の無車線区間６０の開始地点から所定距離（例えば３００ｍ）手前の地点であり、この所定距離は、固定値でもよいし、ＡＣＣ設定速度に応じて設定されてもよい。
【００５４】
所定地点Ｓ通過後も自車位置の検出は継続されており、料金所手前の無車線区間６０に到達した時点でＰＡＤＳ走行（ＰＡＬＳ走行）は、前車追従走行または経路追従走行に切替わる（ステップ００６）。以後、料金所通過後の無車線区間６２が終了するまで、前車追従走行または経路追従走行が継続され、料金所近傍区間用のオーバーライド閾値（Ｐｏ，Ｔ１ｏ，Ｔ２ｏ）が維持される。
【００５５】
以上のように、料金所６近傍の所定地点Ｓに到達した時に操舵オーバーライド閾値およびブレーキオーバーライド閾値が大きい値に変更されることにより、自動車線変更中止や操作引継要求に慌てた運転者の過度の操舵オーバーライドやブレーキオーバーライドが抑制され、無車線区間６０においては前車追従走行や経路追従走行に移行でき、過度の操舵オーバーライドや過度のブレーキオーバーライドによる他車両との接近や挙動不安定などを回避できる。
【００５６】
また、料金所６近傍の所定地点Ｓ到達時に変更された操舵オーバーライド閾値およびブレーキオーバーライド閾値が料金ゲート通過後の無車線区間６２まで維持されることにより、他車両の割込みなどで前車追従走行や経路追従走行を継続不可能となった場合に、権限委譲通知に慌てた運転者の過度の操舵オーバーライドや、過度のブレーキオーバーライドによる他車両との接近や挙動不安定などを回避できる。
【００５７】
オーバーライド閾値は、例えば以下のように設定される。
【００５８】
（１）一般区間走行時のブレーキオーバーライド閾値
ＡＣＣ設定速度（クルーズセット速度または先行車追従速度）またはＡＣＣ設定加速度に対して減速となるＥＳＰ油圧指令が運転者のブレーキ踏込によって与えられた場合、ブレーキオーバーライドとなり、運転者のブレーキ操作が優先される。ＡＣＣ設定速度に対して、例えば速度２ｋｍ／ｈ相当の減速となるＥＳＰ油圧指令値またはＡＣＣ設定加速度に対して０．２ｍ／ｓ２相当の減速度となるＥＳＰ油圧指令値を閾値Ｐｄとする。
【００５９】
（２）料金所近傍無車線区間走行時のブレーキオーバーライド閾値
一般区間走行時のブレーキオーバーライド閾値より大きな値、好適には、一般区間走行時のブレーキオーバーライド閾値の１２０％~２５０％、さらに好適には１５０％~２２０％の範囲から選定される。例えば、自車現在速度（または先行車追従速度）に対して速度４ｋｍ／ｈ相当の減速となるＥＳＰ油圧指令値、または、ＡＣＣ設定加速度に対して０．４ｍ／ｓ２相当の減速度となるＥＳＰ油圧指令値を閾値Ｐｏとする。
【００６０】
（３）一般区間走行時の操舵オーバーライド閾値
一般区間走行時の順操舵オーバーライド閾値は、ｔ秒後に仮想横位置に到達するための仮想横変位ｙ′ｔがｙｔ＋α（但し、αは車速に基づいて決定される定数）となるような操舵角に相当する操舵トルク（車速−操舵角−操舵トルクマップから算出した操舵トルク）が順操舵オーバーライド閾値Ｔ１ｄとして設定される。
【００６１】
逆操舵の場合は、ｔ秒後に仮想横位置に到達するための仮想横変位ｙｔがｙｔ十α（但し、αは車速に基づいて決定される定数）となるような操舵角を操舵トルクに換算した値（操舵トルク目標値）に対して、操舵トルクを減少させる方向に印加される、微小でないと判断（操舵角、操舵角速度などで判断）できる値が逆操舵オーバーライド閾値Ｔ２ｄとして設定される。
【００６２】
（４）料金所近傍無車線区間走行時の操舵オーバーライド閾値
順操舵オーバーライド閾値は、一般区間走行時の仮想横変位ｙｔに対して、料金所近傍無車線区間走行時の仮想横変位ｙ″ｔ（＝ｙｔ十β、但しβ＞α）と車両の運動特性から算出される操舵角を操舵トルクに換算した値が順操舵オーバーライド閾値Ｔ１ｏとして設定される。
【００６３】
逆操舵オーバーライド閾値は、一般区間走行時の仮想横変位ｙｔに対して、料金所近傍無車線区間走行時の仮想横変位ｙ″ｔ（＝ｙｔ−γ、但しγは操舵トルクＸ′Ｎｍに相当する横変位より大きい）と車両の運動特性から算出される操舵角を操舵トルクに換算した値が逆操舵オーバーライド閾値Ｔ２ｏとして設定される。
【００６４】
（料金所手前側近傍における自動車線変更フロー）
次に、高速道路の料金所手前側近傍本線区間５ないし料金所手前側無車線区間６０における自動車線変更フローについて、図６を参照しながら説明する。
【００６５】
（１）ＰＡＤＳ走行中における車線変更可否判定
車線内部分的自動走行システムによるＰＡＤＳ（ＡＣＣＳ・ＬＫＡＳ）走行中（ステップ１００）に、部分的自動車線変更システム（ＰＡＬＳ）が作動している場合は、環境状態推定部１１（外界センサ２１）により、隣接車線の所定領域（前方領域ＺＦ、後方領域ＺＲ、および、側方領域ＺＬ）内に他車両が存在するか否かが監視されている（ステップ１０１）。
【００６６】
上記において、前方領域ＺＦは、縦方向：前方所定距離×横方向：走行中の車線幅＋左右隣接車線幅の領域、後方領域ＺＲは、縦方向：後方所定距離×横方向：走行中の車線幅＋左右隣接車線幅の領域、側方領域ＺＬは、縦方向：車両長×横方向：左右隣接車線幅の領域である。なお、前方所定距離は、最小車間距離（Ｓ0）、車頭時間（ＴＨ）、自車速（Ｖego）から求め、後方所定距離は、車頭時間（ＴＨ）、後方車速（Ｖrear）から求める。左右隣接車線幅（相当幅）は例えば３．５ｍとする。
【００６７】
（２）自動車線変更システム判断
隣接車線の所定領域内に他車両が存在しない場合は車線変更可能と判定され、車線変更可能フラグが立てられる（ステップ１０２）。この状況で、自車線前方にＡＣＣ設定速度以下で走行する先行車が現れるなどにより、システムが車線変更すべきと判断すると、ヘッドアップディスプレイやメーターパネル内の情報表示部にシステム判断（自動車線変更実行）が表示される（ステップ１０３）。音声などによる通知でもよい。
【００６８】
（３）自動車線変更開始
運転者がＬＫＡオフ操作などによりシステム判断を承認すると、車線変更方向のウインカが３秒間点滅した後（ステップ１０４）、車線維持（ＬＫＡ）機能が停止し、隣接車線中央を目標位置として自動車線変更が開始される（ステップ１０５）。
【００６９】
（４）車線変更継続可否判定
自動車線変更実施中も、環境状態推定部１１（外界センサ２１）による所定領域の監視は継続されており（ステップ１０６）、目標車線の所定領域内に他車両が存在しない場合には車線変更が継続され、車線変更が終了したか否かが判定される（ステップ１０７）。車線変更の終了は、車線変更の目標横位置（例えば車線中央）からの自車偏差が所定値（例えば車線中央±０．５ｍ）内となったことをもって判定する。
【００７０】
（５）自動車線変更中止（オーバーライド閾値変更）
先行車の急な車線変更や急制動などにより、目標車線の所定領域内に他車両が進入した場合は車線変更が中止され、情報表示部に車線変更中止が表示されるか、または音声などによる通知され、同時にウインカが消灯し、この時、自車位置が未だ料金所６近傍の所定地点Ｓに到達していなくても、オーバーライド閾値は料金所近傍区間用のオーバーライド閾値（Ｐｏ，Ｔ１ｏ，Ｔ２ｏ）に変更される（ステップ１１１）。
【００７１】
（６）元車線復帰可否判定〜元車線復帰
同時に、自動車線復帰機能による元車線復帰が可能か否か（元車線の所定領域に他車が存在するか否か）が判定され（ステップ１１２）、元車線復帰が可能な場合は車線変更可能フラグが立てられ（ステップ１１３）、情報表示部に元車線復帰実行が表示され、元車線方向のウインカが点滅し（ステップ１１４）、元車線復帰が開始され（ステップ１１５）、次いで、元車線復帰が終了したか否かが判定される（ステップ１１６）。元車線復帰の終了は、元車線の目標横位置（例えば元車線中央）からの自車偏差が所定値（例えば元車線中央±０．５ｍ）内となったことをもって判定する。
【００７２】
（７）元車線復帰不可能〜前車追従／経路追従走行
一方、他車両の存在などにより元車線復帰が不可能な場合には、自車位置が料金所区間（無車線区間６０）にあるか否かが判定され（ステップ１１７）、料金所区間（無車線区間６０）にあれば、前車追従走行または経路追従走行に移行する（ステップ１１０）。
【００７３】
（８）元車線復帰不可能〜権限委譲・引継要求通知
元車線復帰が不可能で自車位置が本線区間５にある場合は、情報表示部に運転者への権限委譲・引継要求が表示され（ステップ１１８）、運転者が操舵を引継いだ場合はＰＡＬＳ機能（自動車線復帰機能）の縮退制御に移行し、ＰＡＬＳ機能が停止され手動運転に移行する（ステップ１２０）。なお、運転者の操舵引継は、ステアリングセンサによるハンズオン検出をもって判定する（ステップ１１９）。
【００７４】
（９）引継不可・ＭＲＭ作動
所定時間（例えば４秒）経過しても運転者による操舵引継がなされなかった場合、または、ドライバーモニターなどにより引継不可能と判定された場合は、ミニマルリスクマニューバ（ＭＲＭ）が作動し、自動操舵により路側帯などに退避して自動停車する（ステップ１２１）。
【００７５】
（１０）料金所区間判定
自動車線変更の終了時（ステップ１０７）、および、自動車線復帰の終了時（ステップ１１６）には、自車位置が料金所区間（無車線区間６０）であるか否かが判定され、自車位置が本線区間５にある場合は、ＬＫＡがオンになりＰＡＤＳ走行に移行する（ステップ１０９）。一方、自車位置が料金所区間（無車線区間６０）にある場合は、前車追従走行または経路追従走行に移行する（ステップ１１０）。
【００７６】
（１１）オーバーライド判定
上述した部分的自動車線変更システム（ＰＡＬＳ）による自動車線変更中、および、無車線区間６０における経路追従走行または前車追従走行中も、ブレーキ操作および操舵操作によるオーバーライド判定が行われており、運転者のブレーキペダル操作によるＥＳＰ油圧指令、操舵操作による操舵トルクの何れかが、オーバーライド閾値を超えた場合はオーバーライドされ、手動運転に移行する。
【００７７】
しかし、先述した通り、本発明に係る自動運転コントローラ１０では、主に本線区間５に適用される一般区間のオーバーライド閾値（Ｐｄ，Ｔ１ｄ，Ｔ２ｄ）に対して、料金所近傍区間用のオーバーライド閾値（Ｐｏ，Ｔ１ｏ，Ｔ２ｏ）が大きい値に設定されており、料金所近傍区間（所定位置Ｓ到達後）には料金所近傍区間用のオーバーライド閾値（Ｐｏ，Ｔ１ｏ，Ｔ２ｏ）が適用され、かつ、所定位置Ｓに到達していなくても、自動車線変更中に継続不可能と判定された場合には、車線変更中止が通知されるのと同時に、料金所近傍区間用のオーバーライド閾値（Ｐｏ，Ｔ１ｏ，Ｔ２ｏ）が適用されるので、以下のような局面で過度の操舵介入やブレーキ操作介入によるオーバーライドが抑制され、それに起因する他車両との接近や挙動不安定などを回避できる。
【００７８】
（ｉ）上記ステップ１０６で車線変更継続不可能と判定され、上記ステップ１１１で情報表示部に車線変更中止が通知された場合に、自動車線変更中止に慌てた運転者が過度の操舵介入やブレーキ操作介入を行った場合にもオーバーライドが抑制され、自動運転コントローラ１０による元車線復帰に移行できるので、過度の操舵オーバーライドやブレーキオーバーライドによる他車両との接近や挙動不安定などを回避できる。
【００７９】
（ｉｉ）上記ステップ１１５で元車線復帰を開始した際に、車両の挙動変化に慌てた運転者が過度の操舵介入やブレーキ操作介入を行った場合にもオーバーライドが抑制され、元車線復帰を継続できるので、過度の操舵やブレーキ操作による他車両との接近や挙動不安定などを回避できる。
【００８０】
（ｉｉｉ）上記ステップ１０８または上記ステップ１１７で自車位置が料金所区間（無車線区間６０）にあると判定され、前車追従走行または経路追従走行に移行する際に、車両の挙動変化に慌てた運転者が過度の操舵介入やブレーキ操作介入を行った場合にもオーバーライドが抑制され、前車追従走行または経路追従走行に移行できるので、過度の操舵やブレーキ操作による他車両との接近や挙動不安定などを回避できる。
【００８１】
（ｉｖ）上記ステップ１１８で運転者への権限委譲・引継要求が通知された際に、通知に慌てた運転者が過度の操舵介入やブレーキ操作介入を行った場合にもオーバーライドが抑制され、縮退制御を経て手動運転に移行できるので、過度の操舵オーバーライドやブレーキオーバーライドによる他車両との接近や挙動不安定などを回避できる。
【００８２】
（料金所通過後の無車線区間における過操作防止フロー）
次に、高速道路の料金所ゲート通過後の無車線区間６２における自動車線変更フローについて、図７を参照しながら説明する。
【００８３】
（１）前車追従／経路追従走行
先述の通り、料金所手前の無車線区間６０に到達した時点でＰＡＤＳ走行（ＰＡＬＳ走行）から前車追従走行または経路追従走行に移行しており、料金所ゲート通過後の無車線区間６２でも、前車追従走行または経路追従走行が継続されており（ステップ２００）、環境状態推定部１１（外界センサ２１）により、所定領域（前方領域ＺＦおよび側方領域ＺＬ）内に他車両が存在するか否かが監視されている（ステップ２０１）。
【００８４】
（２）追従走行中止・操作引継通知（オーバーライド閾値設定）
環境状態推定部１１（外界センサ２１）で所定領域（前方領域ＺＦおよび側方領域ＺＬ）内に他車両が存在すると判定された場合、追従走行不可フラグが立てられ、ヘッドアップディスプレイやメーターパネル内の情報表示部に、前車追従／経路追従走行中止・操作引継が表示される（ステップ２０２）。音声などによる通知でもよい。これと同時に、追従走行縮退制御に移行するまでの待機時間（例えば２秒）のカウントが開始される。
【００８５】
この際、先述した料金所手前の所定地点Ｓ通過時に、料金所近傍区間用のオーバーライド閾値（Ｐｏ，Ｔ１ｏ，Ｔ２ｏ）に変更されている場合はその値が維持され、料金ゲート（６ｅ，６ｍ）通過時などにリセットされている場合は、料金所近傍区間用のオーバーライド閾値（Ｐｏ，Ｔ１ｏ，Ｔ２ｏ）に再設定される。
【００８６】
（３）ブレーキ操作および手動操舵の有無判定
この時点ではまだ追従制御（車間制御・自動操舵）が作動中であり、運転者によるブレーキ操作の有無がブレーキペダルのポジションセンサにより判定されると同時に、ＥＰＳコントローラ３１付帯のトルクセンサにより手動操舵３４の有無が判定される（ステップ２０３）。
【００８７】
（４）ブレーキオーバーライド判定
ステップ２０３において運転者によるブレーキ操作が検出された場合には、運転者のブレーキ踏込によるＥＳＰ油圧指令値がオーバーライド閾値Ｐｏと比較される（ステップ２０４）。
ｉ）ＥＳＰ油圧指令値Ｐ＞Ｐｏの場合には、ブレーキオーバーライドと判定され、即時オーバーライドして手動走行に移行する。
ｉｉ）ＥＳＰ油圧指令値Ｐ≦Ｐｏの場合には、オーバーライドせず、車間制御・自動操舵が継続される。
【００８８】
（５）操舵方向判定
一方、ステップ２０３において、ＥＰＳコントローラ３１付帯のトルクセンサの検出値から、手動操舵ありと判断された場合、手動操舵３４の操舵方向が判定される（ステップ２０５）。運転者操舵が加わる前の自動操舵における操舵トルク値に対して、操舵トルクを増加させる方向に印加された場合は順操舵と判定され、操舵トルクを減少させる方向に印加された場合は逆操舵と判定される。
【００８９】
（６）順操舵オーバーライド判定
操舵方向判定で順操舵と判定された場合は、操舵トルクが順操舵オーバーライド閾値Ｔ１ｏと比較される（ステップ２０６）。
ｉ）操舵トルク＞順操舵オーバーライド閾値Ｔ１ｏであれば、オーバーライドと判定され、即時オーバーライドして手動走行となる。
ｉｉ）操舵トルク≦順操舵オーバーライド閾値Ｔ１ｏであれば、オーバーライドせず、車間制御・自動操舵が継続される。
【００９０】
（７）逆操舵オーバーライド判定
操舵方向判定で逆操舵と判定された場合は、操舵トルクが逆操舵オーバーライド閾値Ｔ２ｏと比較される（ステップ２０７）。
ｉ）操舵トルク＞逆操舵オーバーライド閾値Ｔ２ｏであれば、オーバーライドと判定され、即時オーバーライドして手動走行となる。
ｉｉ）操舵トルク≦逆操舵オーバーライド閾値Ｔ２ｏであれば、オーバーライドせず、車間制御・自動操舵が継続される。
【００９１】
（８）引継経過時間の判定〜追従走行縮退制御縮退制御開始
これらのオーバーライド判定（ステップ２０４〜２０７）を経て、追従走行（車間制御・自動操舵）が継続されている場合、上記ステップ２０２で前車追従／経路追従走行中止（車間制御・自動操舵機能停止）と操作引継を通知してからの経過時間のカウントが継続され（ステップ２０８）、待機時間（２秒）が経過した時点で追従走行（車間制御・自動操舵）縮退制御が開始される（ステップ２０９）。
【００９２】
車間制御（ＡＣＣ機能）縮退制御：エンジンコントローラ３２に入力する加減速指令値（車速指令）を所定の傾きで０ｋｍ／ｈ／ｓまで徐々に低下させるとともに、ＥＳＰコントローラ３３に入力する減速指令値を所定の傾きで０ｍ／ｓ２まで低下させる。
自動操舵縮退制御：ＥＰＳコントローラに入力する操舵トルク指令値を所定の傾きをもって０Ｎｍまで徐々に低下させる。
【００９３】
（９）縮退制御終了〜前車追従／経路追従機能停止・操作引継
経路追従縮退制御が終了すると、前車追従／経路追従機能が停止され、運転者への操作引継が行われ（ステップ２１０）、運転者のアクセル／ブレーキ操作と操舵による手動走行に移行する（ステップ２１１）。
【００９４】
以上のようなオーバーライド閾値の変更によって、追従走行中止・操作引継通知時の過操舵によるオーバーライドは基本的に防止できるが、上述したオーバーライド判定（ステップ２０６，２０７）において、手動操舵がオーバーライド閾値以上であれば、ＡＣＣ・自動操舵機能が手動操舵でオーバーライドされることになる。
【００９５】
そこで、オーバーライド閾値設定時（ステップ２０２）に、ＥＰＳコントローラ３１において車速に応じて設定される（車速に逆比例する／車速上昇に伴い降下する）操舵トルクまたは操舵角の上限値を一般区間走行時よりも低い値にするか、または、ＥＰＳコントローラ３１において手動操舵の操舵ゲインを小さい値に変更することで、手動操舵によってオーバーライドされた場合における過操舵を防止できる。
【００９６】
なお、上記オーバーライド閾値は、操作引継通知から縮退制御の終了まで維持されることが好ましい。このようにすることで、自動操舵機能による操舵制御とＡＣＣ機能による車間制御が部分的に作用している状態で徐々に操作引継でき、円滑な操作引継を行える。
【００９７】
（作用と効果）
以上詳述したように、本発明に係る車両の走行制御装置は、自車位置が料金所６手前の所定地点Ｓに到達した時に、前車追従機能および経路追従機能を停止させる操作介入の判定基準となるオーバーライド閾値を、車線区分線５ｓのある本線区間５などの一般区間走行時よりも大きい値に変更し、このオーバーライド閾値が料金所ゲート前後の無車線区間６０，６２で維持されるので、以下に例示するような各場合における過操作防止効果が期待できる。
【００９８】
（例１：料金所近傍における車線変更中止〜無車線区間における追従走行）
例えば、図８（ａ）に示すように、片側３車線（５１，５２，５３）の高速道路本線区間５の中央車線５２を走行していた車両１が、料金所６の手前で隣接車線５１に自動車線変更（ＬＣ）を実施中に、右側の隣接車線５１を走行していた先行他車２が、無車線区間６０に入り急制動し、車両１の前方領域ＺＦに侵入して自動車線変更を継続不可能となった場合、元車線復帰（ＬＢ）に移行する。
【００９９】
この際、車線変更中止表示や車両挙動に慌てた運転者が過度の操舵介入を行った場合でも、操舵介入の判定基準となる操舵オーバーライド閾値が、一般区間走行時よりも大きい値に変更されていることでオーバーライドが回避され、元車線復帰（ＬＢ）への移行を継続できる。
【０１００】
さらに、図８（ｂ）に示すように、車両１の後方領域ＺＲに後続他車３，４が浸入して元車線復帰（ＬＢ）が不可能と判定された場合に、車両１が無車線区間６０に到達していなければ、権限移譲・操作引継要求が通知される。この際、通知に慌てた運転者が過度の操舵介入やブレーキ操作介入を行っても、操舵介入および操作介入の判定基準となるオーバーライド閾値が、一般区間走行時よりも大きい値に変更されていることでオーバーライドが回避され、車間制御・自動操舵機能が継続された状態で縮退制御に移行できる。
【０１０１】
また、車両１が無車線区間６０に到達していれば、図８（ｃ）に示すように、先行他車７を目標にした前車追従走行（ＴＲ）に移行でき、仮に、挙動変化に慌てた運転者が過度の操舵介入やブレーキ操作介入を行っても、操舵介入および操作介入の判定基準となるオーバーライド閾値が、一般区間走行時よりも大きい値に変更されていることでオーバーライドが回避され、過度の操舵オーバーライド（ＯＲ）による先行他車２との接近や、過度のブレーキ操作オーバーライド（ＯＢ）による後続他車３、４との接近を防止できる。
【０１０２】
（例２：料金所ゲート通過後の無車線区間における追従走行）
次に、図９（ａ）に示すように、料金所ゲートを通過した車両１が、無車線区間６２で先行他車２を目標にして前車追従走行（ＴＲ）していたところ、車両１の左前方領域ＺＦＬを走行していた他車３が（先行他車７を避けて）、図９（ｂ）に示すように、車両１の前方に割り込んできた時に、他車３の挙動に慌てた運転者が過度の操舵介入やブレーキ操作介入を行っても、操舵介入および操作介入の判定基準となるオーバーライド閾値が、一般区間走行時よりも大きい値に変更されていることでオーバーライドが回避され、過度の操舵オーバーライド（ＯＲ）による右前方領域ＺＦＲの他車４との接近が防止される。
【０１０３】
また、過度のブレーキ操作オーバーライド（ＯＢ）が回避されることで、図９（ｃ）に示すように、後続他車８との接近が防止され、車間制御および自動操舵が継続されるので、先行他車３を目標にした前車追従走行に移行でき、無車線区間６２を通過して本線区間５′に侵入し、外界センサ２１による車線認識が再開された時点で、ＰＡＤＳ走行（ＰＡＬＳ走行）に移行できる。
【０１０４】
なお、上記実施形態では、ブレーキオーバーライド閾値が運転者のブレーキペダル操作による減速度要求に基づいて設定される場合について述べたが、運転者のブレーキペダル踏込量すなわちブレーキペダルポジションに基づいて設定されるように構成することもできる。
【０１０５】
また、上記実施形態では、操舵オーバーライド閾値が操舵トルクに基づいて設定される場合を示したが、操舵角（ステアリング角）や操舵角速度などに基づいて設定されるように構成することもできる。
【０１０６】
以上、本発明のいくつかの実施形態について述べたが、本発明は上記実施形態に限定されるものではなく、本発明の範囲内においてさらに各種の変形および変更が可能であることを付言する。
【符号の説明】
【０１０７】
１  車両（自車）
２，３，４，７，８  他車
５  本線区間（料金所手前、一般区間）
５′  本線区間（料金所通過後、一般区間）
５ｓ，６ｓ  車線区分線
６  料金所
６ｅ，６ｍ  料金所ゲート
１０  自動運転コントローラ
１１  環境状態推定部
１２  経路生成部
１３  車両制御部
１４  ＡＣＣコントローラ
１５  ＬＫＡコントローラ
２１  外界センサ
２２  内界センサ
３１  ＥＰＳコントローラ
３２  エンジンコントローラ
３３  ＥＳＰ／ＡＢＳコントローラ
３４  手動操舵（ハンドル）
４１  操舵機構
４２  エンジン
４３  ブレーキ
６０  無車線区間（料金所手前、料金ゲート前）
６２  無車線区間（料金所通過後、料金ゲート後）
【図１】
2020157985.tif 000003
【図２】
2020157985.tif 000004
【図３】
2020157985.tif 000005
【図４】
2020157985.tif 000006
【図５】
2020157985.tif 000007
【図６】
2020157985.tif 000008
【図７】
2020157985.tif 000009
【図８】
2020157985.tif 000010
【図９】
2020157985.tif 000011